(57)【要約】【課題】通信装置相互間で行われる通信試験を短時間に行う。【解決手段】予め外部装置２０から、携帯電話４０を遠隔操作することが可能な携帯電話３０のメモリ３３に通信試験用プログラムをアップロードする。そして、この通信試験用プログラムを携帯電話３０の制御回路３４に実行させることで、携帯電話３０に携帯電話４０の操作を行わせながら、携帯電話３０と携帯電話４０相互間の通信試験を行う。これにより、携帯電話３０と携帯電話４０相互間で行われる通信試験を、一方の携帯電話３０のみにアップロードされた試験用プログラムによって行うことができる。【選択図】図１
2010124145.tif 000002
【特許請求の範囲】
【請求項１】
受信した指令に基づいて動作する他の通信装置との間で所定の通信試験を実行する通信装置であって、
前記通信試験の試験手順を記憶する記憶手段と、
前記記憶手段に記憶された前記試験手順に基づいて、前記他の通信装置に対して情報を発信する情報発信手段と、
前記試験手順に基づいて他の通信装置を操作して、前記他の通信装置に前記発信した情報を受信するための指令を送信する遠隔操作手段と、
を備える通信装置。
【請求項２】
受信した指令に基づいて動作する他の通信装置との間で所定の通信試験を実行する通信装置であって、
前記通信試験の試験手順を記憶する記憶手段と、
前記記憶手段に記憶された前記試験手順に基づいて、前記他の通信装置に対して情報を発信させるための指令を送信する遠隔操作手段と、
を備える通信装置。
【請求項３】
前記試験手順を外部装置から受信し、前記記憶手段に記憶する処理手段を更に備える請求項１又は２に記載の通信装置。
【請求項４】
前記遠隔操作手段及び前記他の通信装置それぞれは、相互に通信可能な無線インターフェイスを備え、
前記遠隔操作手段は、前記無線インターフェイスを介して、前記試験手順に基づく指令を、前記他の通信装置に送信する請求項１乃至３のいずれか一項に記載の通信装置。
【請求項５】
所定の試験手順に基づいて通信装置相互間で実行される通信試験方法であって、
第１の通信装置に、前記第１の通信装置と異なる第２の通信装置に対して情報を発信させる工程と、
前記第１の通信装置に、前記第２の通信装置を操作させて、前記第２の通信装置に前記情報を受信させる工程と、
を含む通信試験方法。
【請求項６】
前記第１の通信装置に、予め前記試験手順を送信する工程を更に含む請求項５に記載の通信試験方法。
【請求項７】
前記第１の通信装置に前記第２の通信装置を操作させて、前記第２の通信装置に情報を発信させる工程と、
前記第１の通信装置に、前記第２の通信装置から発信された情報を受信させる工程と、
を更に含む請求項５又は６に記載の通信試験方法。
【請求項８】
遠隔操作される通信装置に対して実行される通信試験方法であって、
所定の試験手順に従って前記通信装置を操作して、前記通信装置に情報を発信させる工程と、
前記試験手順に従って前記通信装置を操作して、所定の情報を受信させる工程と、
を含む通信試験方法。
【請求項９】
前記通信装置の操作は、前記試験手順を記憶する外部装置によって行われる請求項８に記載の通信試験方法。
【請求項１０】
受信した指令に基づいて動作する他の通信装置との間で所定の通信試験を実行する通信装置の制御装置に、
前記他の通信装置に対して情報を発信する手順と、
前記他の通信装置を操作して、前記他の通信装置に前記情報を受信させる手順と、
前記他の通信装置を操作して、前記他の通信装置に情報を発信させる手順と、
前記他の通信装置から発信された情報を受信する手順と、
を実行させるプログラム。
【発明の詳細な説明】
【技術分野】
【０００１】
本発明は、通信試験を実行する通信装置、通信試験方法及びプログラムに係り、更に詳しくは、受信した指令に基づいて動作する通信装置との間で通信試験を実行する通信装置、通信装置相互間で行われる通信試験方法、及び前記通信装置に用いられるプログラムに関する。
【背景技術】
【０００２】
携帯端末の開発段階では、商用網もしくは擬似基地局を含む試験環境網を使用して、携帯端末相互間の通信が正常に行われているか否かを確認するための通信試験が行われる。この種の通信試験では、携帯端末それぞれの操作を手動で行うと、通信試験に要する工数が増大してしまう。そこで、試験対象となる携帯端末それぞれに通信試験を行うためのプログラムを記憶させ、各携帯端末に当該プログラムを実行させることによって、通信試験を行う方法が提案されている（例えば特許文献１参照）。この方法によると、通信試験はプログラムに基づいて自動的に行われるので、通信試験を実施するための工数が大幅に削減され、効率的である。
【０００３】
【特許文献１】特開平５−１３０００９号公報
【発明の開示】
【発明が解決しようとする課題】
【０００４】
しかしながら、特許文献１に記載の方法では、試験対象となる携帯端末それぞれに対して、通信試験を行うためのプログラムや試験の条件などを決定するためのパラメータをアップロードして記憶させる必要がある。このため、通信試験の準備にある程度の時間を要していた。また、携帯端末の製造時に、通信試験を行うためのプログラムを各携帯端末に記憶させておくことも考えられるが、この方法では携帯端末の製造コストが増加することが予想される。
【０００５】
本発明は、上述の事情の下になされたもので、その第１の目的は、短時間に通信試験を行うことを可能とする通信装置を提供することにある。
【０００６】
また、本発明の第２の目的は、短時間に行うことが可能な通信試験方法を提供することにある。
【０００７】
また、本発明の第３の目的は、携帯電話の制御装置に実行させることで、短時間に通信試験を行うことを可能とするプログラムを提供することにある。
【課題を解決するための手段】
【０００８】
本発明の第１の観点にかかる通信装置は、受信した指令に基づいて動作する他の通信装置との間で所定の通信試験を実行する通信装置であって、前記通信試験の試験手順を記憶する記憶手段と、前記記憶手段に記憶された前記試験手順に基づいて、前記他の通信装置に対して情報を発信する情報発信手段と、前記試験手順に基づいて他の通信装置を操作して、前記他の通信装置に前記発信した情報を受信するための指令を送信する遠隔操作手段と、を備えることを特徴とする。
【０００９】
また、本発明の第２の観点にかかる通信装置は、受信した指令に基づいて動作する他の通信装置との間で所定の通信試験を実行する通信装置であって、前記通信試験の試験手順を記憶する記憶手段と、前記記憶手段に記憶された前記試験手順に基づいて、前記他の通信装置に対して情報を発信させるための指令を送信する遠隔操作手段と、を備えることを特徴とする。
【００１０】
また、本発明の第３の観点にかかる通信試験方法は、所定の試験手順に基づいて通信装置相互間で実行される通信試験方法であって、第１の通信装置に、前記第１の通信装置と異なる第２の通信装置に対して情報を発信させる工程と、前記第１の通信装置に前記第２の通信装置を操作させて、前記第２の通信装置に前記情報を受信させる工程と、を含むことを特徴とする。
【００１１】
また、本発明の第４の観点にかかる通信試験方法は、遠隔操作される通信装置に対して実行される通信試験方法であって、所定の試験手順に従って前記通信装置を操作して、前記通信装置に情報を発信させる工程と、前記試験手順に従って前記通信装置を操作して、所定の情報を受信させる工程と、を含むことを特徴とする。
【００１２】
また、本発明の第５の観点にかかるプログラムは、受信した指令に基づいて動作する他の通信装置との間で所定の通信試験を実行する通信装置の制御装置に、前記他の通信装置に対して情報を発信する手順と、前記他の通信装置を操作して、前記他の通信装置に前記情報を受信させる手順と、前記他の通信装置を操作して、前記他の通信装置に情報を発信させる手順と、前記他の通信装置から発信された情報を受信する手順と、を実行させることを特徴とする。
【発明の効果】
【００１３】
所定の試験手順に従って、通信装置から情報が発信され、この情報は、情報が発信された通信装置が別の通信手段を遠隔操作することにより、この遠隔操作された通信装置によって受信される。これにより、通信試験の対象となる通信装置それぞれに、試験手順を記憶させるなどの処理が不要になり、通信試験の準備を短時間のうちに容易に行うことができ、結果的に通信試験を容易にかつ短時間のうちに完了することが可能となる。
【発明を実施するための最良の形態】
【００１４】
以下本発明の一実施形態を図１〜図３に基づいて説明する。図１は本実施形態にかかる通信試験を行う際の機器構成を示す図である。本実施形態にかかる通信試験が実施される試験環境は、図１に示されるように、外部装置２０と、商用網１０を介して相互通信が可能な携帯電話３０及び携帯電話４０を含んで構成される。
【００１５】
外部装置２０は、携帯電話３０及び携帯電話４０相互間の通信試験を実行するための手順が規定されたプログラム（以下、通信試験用プログラムという）を保有するパソコン、又はワークステーションである。この外部装置２０は、例えばＵＳＢインターフェイス、ＬＡＮポートなどの有線インターフェイスを有している。そして、外部装置２０には、この有線インターフェイスを介して携帯電話３０が接続されている。
【００１６】
携帯電話３０は、有線インターフェイス３１、通信回路３２、メモリ３３、制御回路３４、無線インターフェイス３５を有している。
【００１７】
前記有線インターフェイス３１は、上述の外部装置２０に設けられた有線インターフェイスと同等のものであり、携帯電話３０は、有線インターフェイス３１を介して外部装置２０に接続されている。
【００１８】
前記通信回路３２は、一例として直交変調回路、直交復調回路、位相同期回路などが集積して形成されたＲＦＩＣ（Radio Frequency Integrated Circuit）チップ、バンドパスフィルタ、デュプレクサ、及び増幅器などを含んで構成されている。この通信回路３２は、携帯電話の商用網１０を介して、携帯電話４０と音声情報を含む情報の送受信を行う。
【００１９】
前記メモリ３３は、例えばＲＡＭなどの半導体記憶装置を含んで構成され、外部装置２０から送信された通信試験用プログラムを記憶する。
【００２０】
前記無線インターフェイス３５は、変調された赤外線を発信することで、携帯電話４０に対して情報を送信し、また、変調された赤外線を受信することで、外部から情報を受信する。
【００２１】
前記制御回路３４は、ＣＰＵ（中央演算処理装置）を含んで構成されている。この制御回路３４は、メモリ３３に記憶された通信試験用プログラムを読み出し、この通信試験用プログラムに基づいて、上記各部を統括的に制御する。
【００２２】
携帯電話４０は、携帯電話３０が有する通信回路３２、制御回路３４、無線インターフェイス３５と同等の機能を有する通信回路４２、制御回路４４、無線インターフェイス４５を有し、有線インターフェイス、通信試験用プログラムを記憶するメモリを持たない点で、携帯電話３０と相違している。この携帯電話４０では、制御回路４４によって通信回路４２、無線インターフェイス４５が統括的に制御されることで、携帯電話３０との間で相互通信が行われる。
【００２３】
次に、携帯電話３０及び携帯電話４０相互間で実施される通信試験方法について説明する。前提として、携帯電話３０と携帯電話４０とは、無線インターフェイス３５及び無線インターフェイス４５を介して赤外線通信が可能な状態となっているものとする。
【００２４】
図２のフローチャート１、及び図３のフローチャート２は、携帯電話３０の制御回路３４によって実行される一連の処理アルゴリズムに対応している。携帯電話３０の制御回路３４は、外部装置２０から通信試験用プログラムがメモリ３３にアップロードされると、図２のフローチャート１に示される処理を開始する。
【００２５】
最初のステップＳ３０１では、制御回路３４は、携帯電話４０の呼び出し信号を発信する。この呼び出し信号は、携帯電話３０の通信回路３２から出力され、商用網１０を介して携帯電話４０へ到達する。
【００２６】
次のステップＳ３０２では、制御回路３４は、携帯電話３０からの呼び出し信号が発信されたことにより、携帯電話４０が呼び出し状態となっているか否かを判断する。この判断は、携帯電話３０が、例えば商用網１０に含まれる交換機などからの信号を受信し、この受信した信号に基づいて行う。
【００２７】
ステップＳ３０２での判断が否定された場合にはステップＳ３０９へ移行し、制御回路３４は、通信試験が失敗したことを外部装置２０へ通知して、処理を終了する。一方、ステップＳ３０２での判断が肯定された場合には、次のステップＳ３０３へ移行する。
【００２８】
ステップＳ３０３では、制御回路３４は、携帯電話４０へ応答指令を送信する。この応答指令は、携帯電話３０の無線インターフェイス３５から出力され、携帯電話４０の無線インターフェイス４５を介して携帯電話４０の制御回路４４に受信される。制御回路４４は、この応答指令を受信すると、携帯電話４０に対する呼び出しに応答する。これにより、携帯電話３０と携帯電話４０とが通話状態となる。
【００２９】
次のステップＳ３０４では、制御回路３４は、携帯電話４０が呼び出しに対して応答したか、すなわち、携帯電話３０と携帯電話４０とが通話状態となっているか否かを判断する。そして、ここでの判断が肯定されると、次のステップＳ３０５へ移行する。
【００３０】
次のステップＳ３０５では、制御回路３４は、試験情報の通信を実行する。この通信は例えば、携帯電話３０の通信回路３２と携帯電話４０の通信回路４２との間で、商用網１０を介して所定の情報を送受信することにより行う。
【００３１】
次のステップＳ３０６では、制御回路４４は、携帯電話４０に対する通信を終了する。これにより、携帯電話３０と携帯電話４０との通話状態が解消される。
【００３２】
次のステップＳ３０７では、ステップＳ３０５で行われた情報の送受信が正常に行われたか否かを検証する。そして、ステップＳ３０７での判断が否定された場合にはステップＳ３０９へ移行し、制御回路３４は、外部装置２０に通信試験の失敗を通知した後、フローチャート１に示される処理を終了する。
【００３３】
一方、ステップＳ３０７での判断が肯定された場合には、ステップＳ３０８へ移行し、制御回路３４は、外部装置２０に対して通信試験の正常終了を通知した後、フローチャート１に示される処理を終了し、図３のフローチャート２に示される一連の処理を開始する。
【００３４】
フローチャート２のステップＳ４０１では、制御回路３４は、携帯電話４０へ呼び出し開始指令を送信する。この呼び出し開始指令は、携帯電話３０の無線インターフェイス３５から出力され、携帯電話４０の無線インターフェイス４５を介して制御回路４４に受信される。制御回路４４は、この呼び出し開始指令を受信すると、携帯電話３０に対して呼び出し信号を発信する。この呼び出し信号は、携帯電話４０の通信回路４２から出力され、商用網１０を介して携帯電話３０へ到達する。
【００３５】
次のステップＳ４０２では、制御回路３４は、携帯電話４０からの呼び出し信号が発信されたことにより、携帯電話３０が呼び出し状態となっているか否かを判断する。この判断は、携帯電話３０が、例えば商用網１０に含まれる交換機などからの信号を受信し、この受信した信号に基づいて判断する。
【００３６】
ステップＳ４０２での判断が否定された場合にはステップＳ４０９へ移行し、制御回路３４は、通信試験が失敗したことを外部装置２０へ通知して、処理を終了する。一方、ステップＳ４０２での判断が肯定された場合には、次のステップＳ４０３へ移行する。
【００３７】
ステップＳ４０３では、制御回路３４は、携帯電話３０に対する呼び出しに応答する。これにより、携帯電話３０と携帯電話４０とが通話状態となる。
【００３８】
次のステップＳ４０４では、制御回路３４は、試験情報の通信を実行する。この通信は例えば、携帯電話３０の通信回路３２と携帯電話４０の通信回路４２との間で、商用網１０を介して所定の情報を送受信することにより行う。
【００３９】
次のステップＳ４０５では、制御回路３４は、携帯電話４０へ通話終了指令を送信する。この通話終了指令は、携帯電話３０の無線インターフェイス３５から出力され、携帯電話４０の無線インターフェイス４５を介して制御回路４４に受信される。制御回路４４は、この応答指令を受信すると、携帯電話３０に対する通信を終了する。これにより、携帯電話３０と携帯電話４０との通話状態が解消される。
【００４０】
次のステップＳ４０６では、制御回路３４は、携帯電話４０による携帯電話３０に対する通信が終了されたか否かを判断する。この判断は、例えば商用網１０に含まれる交換機からの信号に基づいて行う。
【００４１】
ステップＳ４０６での判断が否定された場合にはステップＳ４０９へ移行し、制御回路３４は、通信試験が失敗したことを外部装置２０へ通知して、処理を終了する。一方、ステップＳ４０６での判断が肯定された場合には、次のステップＳ４０７へ移行する。
【００４２】
ステップＳ４０７では、ステップＳ４０４で行われた情報の送受信が正常に行われたか否かを検証する。そして、ステップＳ４０７での判断が否定された場合には、ステップＳ４０９へ移行し、制御回路３４は、外部装置２０に通信試験の失敗を通知した後、フローチャート２に示される処理を終了する。
【００４３】
一方、ステップＳ４０７での判断が肯定された場合には、ステップＳ４０８へ移行し、制御回路３４は、外部装置２０に通信試験の正常終了を通知した後、フローチャート２に示される処理を終了する。これにより、携帯電話３０と携帯電話４０相互間の通信試験が完了する。
【００４４】
以上説明したように、本実施形態では、予め外部装置２０から携帯電話３０のメモリ３３に通信試験用プログラムがアップロードされる。そして、この通信試験用プログラムが携帯電話３０の制御回路３４に実行されることで、携帯電話３０と携帯電話４０相互間の通信試験が行われる。したがって、試験対象となる携帯電話の一方にのみ、通信試験を行う通信試験用のプログラムをアップロードすればよいので、通信試験の対象となる通信装置それぞれに、試験手順を記憶させるなどの処理が不要になり、通信試験の準備を短時間のうちに容易に行うことができ、結果的に通信試験を容易にかつ短時間のうちに完了することが可能となる。
【００４５】
また、本実施形態では、通信試験の対象となるすべての携帯電話３０，４０を外部装置２０に物理的に接続する必要がない。このため、試験設備の簡素化を図ることができる。
【００４６】
なお、本実施形態では、携帯電話３０が外部装置２０と接続された状態で、通信試験が実施されたが、外部装置２０は、携帯電話３０に対する試験用プログラムがアップロードされた後に取り外してもよい。また、携帯電話３０の製造段階で、予め試験用プログラムをメモリ３３に記憶させておき、外部装置２０を用いることなく、通信試験を行ってもよい。これにより、試験設備の更なる簡素化を実現することができる。
【００４７】
また、本実施形態では、携帯電話３０の制御回路３４が、ステップＳ３０５及びステップＳ４０４での処理結果の検証を行ったが、これに限らず、例えば携帯電話３０と携帯電話４０との通信結果を外部装置２０へ出力し、外部装置２０が、通信結果の評価を行ってもよい。
【００４８】
また、本実施形態では、外部装置２０と携帯電話３０とが有線接続されているが、これに限らず、外部装置２０と携帯電話３０とは無線接続されていてもよい。
【００４９】
また、本実施形態では、携帯電話３０と携帯電話４０とは、商用網１０を介して通信試験を行ったが、これに限らず、例えば試験用の基地局を含む試験網を介して通信試験を行ってもよい。
【００５０】
また、本実施形態では、携帯電話３０と携帯電話４０相互間は、赤外線による通信が行われることとしたが、これに限らず、携帯電話３０と携帯電話４０とは、電波などを用いた他の方式の通信を行うこととしてもよい。
【００５１】
なお、本実施形態では、携帯電話相互間で実施される通信試験について説明したが、本発明はこれに限らず、携帯電話以外の、例えばＰＨＳ（Personal Handy-phone System）、ＰＤＡ（Personal Digital Assistant）などの携帯端末に対しても適用することができる。また、通信試験が実施される携帯端末は、相互に異なる形態のものであってもよい。具体的には、携帯電話とＰＤＡ、携帯電話とＰＨＳなどを組み合わせて、これら相互間で通信試験を行うこともできる。
【００５２】
また、本実施形態では、携帯電話３０が携帯電話４０を遠隔操作することにより、携帯電話３０と携帯電話４０相互間で通信試験が行われる場合について説明したが、例えば、図４に示されるように、外部装置２０に、無線インターフェイス３５を設け、この無線インターフェイス３５を介して、携帯電話４０に試験手順に基づく指令を送信することによっても、携帯電話４０に試験用プログラムをアップロードすることなく、当該携帯電話４０に対して通信試験を実施することができる。この場合には、例えば、外部装置２０によって、２台あるいはそれ以上の複数の携帯端末を操作しながら、各携帯端末相互間の通信試験を実行することができる。
【図面の簡単な説明】
【００５３】
【図１】通信試験を行う際の機器構成を示す図である。
【図２】携帯電話３０の制御回路３４が実行する処理を説明するためのフローチャート１を示す図である。
【図３】携帯電話３０の制御回路３４が実行する処理を説明するためのフローチャート２を示す図である。
【図４】通信試験の変形例を説明するための図である。
【符号の説明】
【００５４】
１０…商用網
２０…外部装置
３０…携帯電話
３１…有線インターフェイス
３２…通信回路
３３…メモリ
３４…制御回路
３５…無線インターフェイス
４０…携帯電話
４２…通信回路
４４…制御回路
４５…無線インターフェイス
【図１】
2010124145.tif 000003
【図２】
2010124145.tif 000004
【図３】
2010124145.tif 000005
【図４】
2010124145.tif 000006